(57)【要約】【課題】本発明の課題は、ビニールハウスのビニールシートを開閉するための装置において、シートの巻き取りまたは引き出しをおこなう巻き取りシャフトが負荷によって撓むことを防ぎ、スムーズなビニールシートの開閉動作を実現する機構を提供することにある。【解決手段】本発明のビニールハウスのシート開閉装置は、パイプ部材が適宜の間隔をおいて連設された蒲鉾形態のビニールハウス構造体の側壁部に、ビニールシートを巻き取るロールまたはビニールシート引き出し用紐部材を巻き取るリールを設置したシャフトを水平に維持する支承部材が、前記シャフトの中央領域において前記パイプ状構造体に取り付けられていることを特徴とする。【選択図】図１
2008306993.tif 000002
【特許請求の範囲】
【請求項１】
パイプ部材が適宜の間隔をおいて連設された蒲鉾形態のビニールハウス構造体の側壁部に、ビニールシートを巻き取るロールまたはビニールシート引き出し用紐部材を巻き取るリールを設置したシャフトを水平に維持する支承部材が、前記シャフトの中央領域において前記パイプ状構造体に取り付けられていることを特徴とするビニールハウスのシート開閉装置。
【請求項２】
ビニールシートを巻き取るロールを設置したシャフトを水平に維持する支承部材は、前記ロールに巻き取られるビニールシートを受け止める断面が半円形状の樋部材と該樋部材を下から保持しパイプ部材に固定する部材とからなる請求項１に記載のビニールハウスのシート開閉装置。
【請求項３】
ビニールシート引き出し用紐部材を巻き取るリールを設置したシャフトを水平に維持する支承部材は、前記シャフトの貫通する穴がシャフト長さ方向に複数個設けられた部材からなる請求項１に記載のビニールハウスのシート開閉装置。
【請求項４】
ビニールシートのパイプ部材と接触し摺動する部分には強化テープが貼り付けられ、該強化テープの端部はシートの端辺において引き出し用紐部材が連結される引き出し竿に取り付けられていることを特徴とする請求項２又は３に記載のビニールハウスのシート開閉装置。
【発明の詳細な説明】
【技術分野】
【０００１】
本発明は、ビニールハウスのビニールを開閉するための機構、装置に関するものである。
【背景技術】
【０００２】
ビニールハウスは寒冷期に温暖な空気を室内に保持して植物を栽培するのに効果的であるだけでなく、暑い時期には天井部に滞留する高温空気を排気部を設けることで室内換気を促進し夏野菜等の栽培にも効果的な設備である。すなわち上部の高温空気を逃がすことで下方にある側壁にもうけた窓や出入り口から涼しい外気を自然に取り込み好適な環境を保つことができるのである。農場等の大型ハウスであれば天井部に開閉自在の天窓やビニールの一部を開閉する機構を備えたものもあるが、設備的に大掛かりなものとなる。個人農家が多く使っている蒲鉾型の簡易形ビニールハウスは、一般に金属や合成樹脂製のパイプのような構造体をアーチ状に形成したものが所定間隔で設置された骨組みであって、その上にビニールシートが張られたものである。この蒲鉾型の簡易形ビニールハウスは屋根全体を一枚のビニールシートを強固な金具等を多数用いて骨組みに固定し覆うようにしているため、面積の広いシートを張るには多くの人手を要するという問題と共に、気候条件に合わせ当該屋根を開閉したいがそれを実行するのは構造的に極めて困難であるという問題があった。
【０００３】
この問題に鑑み、本出願人は、先に蒲鉾型等の簡易形ビニールハウスにおいて、ビニールシートの張りわたしと固定及び天井部分と側壁部の開閉操作を一人で実行できるビニールハウスの手動開閉装置を提供することを提示（特許文献１）し、特許第3642747号として登録された。この発明は、パイプ状構造体を骨組みとした蒲鉾型のビニールハウスにおいて、該ハウスの半円筒部分及び側壁を覆うビニールシートを棟に沿って半分に分け、両側の側壁部に該ビニールシートを巻き取るロールを設置すると共に、該ビニールシートの引き出し端部に取付けた引き出し用紐部材を巻き取るリールをそれぞれ反対側の側壁部に設置するようにしたものである。この方式でビニールシートの巻き取りと巻き上げを実施した場合、巻き取りシャフトが長くなると負荷の増加に従って撓み現象が生じ、ビニールシートの巻き取りや引き出し用紐部材を巻き取る複数のリールの位置に狂いが生じ、それぞれに無理な力が加わって、スムーズな駆動が出来なかったり、部材を痛めたりしてしまう不具合が認められた。また、引き出し用紐部材はビニールシートの端部に固定された引出し竿に結ばれてビニールシートを引き出すようにしていたが、ビニールシートは引張られると伸びる素材であるため、繰り返し使用する過程でビニールシートが局部的に伸び、ビニールシートが歪んできれいに巻き取りできず、巻き取りシャフトにかかる負荷が不均一になってスムーズな巻き取り駆動が出来なくなるという不具合も認められた。
【特許文献１】特開２００２−７８４２３号公報  「ビニールハウスの手動開閉装置」平成１４年３月１９日公開
【発明の開示】
【発明が解決しようとする課題】
【０００４】
本発明の課題は、ビニールハウスのビニールシートを開閉するための装置において、シートの巻き取りまたは引き出しをおこなう巻き取りシャフトが負荷によって撓むことを防ぎ、スムーズなビニールシートの開閉動作を実現する機構を提供することにある。
【課題を解決するための手段】
【０００５】
本発明のビニールハウスのシート開閉装置は、パイプ部材が適宜の間隔をおいて連設された蒲鉾形態のビニールハウス構造体の側壁部に、ビニールシートを巻き取るロールまたはビニールシート引き出し用紐部材を巻き取るリールを設置したシャフトを水平に維持する支承部材が、前記シャフトの中央領域において前記パイプ状構造体に取り付けられていることを特徴とする。
また、本発明のビニールハウスのシート開閉装置では、ビニールシートを巻き取るロールを設置したシャフトを水平に維持する支承部材として、前記ロールに巻き取られるビニールシートを受け止める断面が半円形状の樋部材と該樋部材を下から保持しパイプ部材に固定する部材とからなるものとした。
また、本発明のビニールハウスのシート開閉装置では、ビニールシート引き出し用紐部材を巻き取るリールを設置したシャフトを水平に維持する支承部材として、前記シャフトの貫通する穴がシャフト長さ方向に複数個設けられた部材からなるものとした。
さらに、本発明のビニールハウスのシート開閉装置では、ビニールシートのパイプ部材と接触し摺動する部分には強化テープが貼り付けられ、該強化テープの端部はシートの端辺において引き出し用紐部材が連結される引き出し竿に取り付けられている構成を採用した。
【発明の効果】
【０００６】
本発明のビニールハウスのシート開閉装置は、パイプ部材が適宜の間隔をおいて連設された蒲鉾形態のビニールハウス構造体の側壁部に、ビニールシートを巻き取るロールまたはビニールシート引き出し用紐部材を巻き取るリールを設置したシャフトを水平に維持する支承部材が、前記シャフトの中央領域において前記パイプ状構造体に取り付けられているので、負荷を受けてもシャフトが屈曲変形することが防止され、ビニールシートの引き出し及び巻き取りをスムーズに行うことが出来る。
また、ビニールシートを巻き取るロールを設置したシャフトを水平に維持する支承部材として、前記ロールに巻き取られるビニールシートを受け止める断面が半円形状の樋部材と該樋部材を下から保持しパイプ部材に固定する部材とからなるものとした本発明のビニールハウスのシート開閉装置では、巻かれたビニールシートの最下端部が常に樋部材に接触して保持されるので、シャフト軸を水平に維持できスムーズな巻き取りと引き出しがなされる。
また、ビニールシート引き出し用紐部材を巻き取るリールを設置したシャフトを水平に維持する支承部材として、前記シャフトの貫通する穴がシャフト長さ方向に複数個設けられた部材からなるものとした本発明のビニールハウスのシート開閉装置では、シャフトの中間位置を複数箇所で回転自在に支承されるため、シャフトの屈曲変形が防止されて複数箇所に取り付けられたリールが同じ位置姿勢を保つ状態で巻き取り繰り出しがなされる。このことにより、ビニールシート引き出し用紐部材の巻き取り繰り出しをスムーズに行うことが出来る。
さらに、本発明のビニールハウスのシート開閉装置では、ビニールシートのパイプ部材と接触し摺動する部分には強化テープが貼り付けられ、該強化テープの端部はシートの端辺において引き出し用紐部材が連結される引き出し竿に取り付けられている構成を採用したことにより、巻き取り繰り出しの際に掛かる張力によってビニールシートが伸びることを防止できるため、シートの変形を抑えスムーズな巻き取りと引き出しがなされる。また、巻き取り繰り出しの際にパイプ部材と接触して摺動するが、そのときの摩耗を防止し、ビニールシートを長持ちさせることが出来る。
【発明を実施するための最良の形態】
【０００７】
図１に本発明の装置を適用したビニールハウスの１形態を示す。単純な蒲鉾型ハウスで出入り口が設置される両端壁面部は省き、アーチ形状のパイプ構造体とビニールシートの開閉機構だけを示している。ビニールハウスの手動開閉装置の構成と動作については特許文献１を参照して頂くとして、本発明の実施形態を説明する前に、ここではその概略を説明しておく。
このビニールハウスのシート開閉装置はパイプ状構造体１を骨組みとした蒲鉾型等のビニールハウスを棟に沿って半分に分けて覆うビニールシート２を巻き取るロール３を設置すると共に、該ビニールシート２の引き出し端部に取付けた引き出し用紐部材５を巻き取るリール４を側壁部に設置したものである。前記パイプ状構造体１に一体に形成されたガイド部またはパイプ状構造体１の管内部に引き出し用紐部材５が案内されて巻き取り繰り出しがなされる。ビニールシート２の先端部分を引出し竿６に固定し、前記構造体のパイプをレールとして該引出し竿６に構造体１と同じ間隔で配設されたローラ１７が走行するガイド機構形態が採られている。前記ガイド部材に案内される引き出し用紐部材５には帯状のものが使用され、素材は強化ビニールを用い糸が芯材として入った引っ張り強度の高いものが好ましい。
【０００８】
引き出し紐部材５用のリール４はパイプ状の構造体１と同じ間隔で回転シャフト８に固定され、該シャフト８の両端部はハウスの外側四隅に立てられた支柱７に取り付けられた軸受９により回転自在に設置され、一端部に取り付けられたハンドル１０によって回転駆動される。勿論これは手動ではなく電動形態であっても良い。引き出し操作がなされる。また、ビニールシート２を巻き付けるロール３もリール４と同様の形態でシャフト８に固定され、該シャフト８の両端部はハウスの外側四隅に立てられた支柱７に取り付けられた軸受９により回転自在に設置され、一端部に取り付けられたハンドル１０によって回転駆動される。図１に示した実施形態では上下に３段のハンドルを配置しており、上段がビニールシートの巻き取りロール用、中段が引き出し紐部材のリール用、そして下段は日照調整用のネット１１の巻き取り用である。上段のハンドル１０を回すと、手前側の棟に張られているビニールシート２をロール３に巻き取る動作となる。ロール３に巻き取られ開放状態となった状態でビニールシート２を張る動作は、反対側の棟にゆき中段のハンドル１０を回動する。すると、リール４が引き出し紐部材５を巻き取り、ロール３に巻き取られた状態のビニールシート２を引き出してパイプ部材１の上に張っていく。
【０００９】
前述したように、このハンドル１０を回動し、ビニールシート２をロール３に巻き付ける際、または引き出し紐部材５をリール４に巻き取る際に、負荷が掛かって、シャフト８が撓むことの不都合を解決することが本発明の目的である。
本発明のビニールハウスのシート開閉装置は、パイプ部材が適宜の間隔をおいて連設された蒲鉾形態のビニールハウス構造体の側壁部に、ビニールシート２を巻き取るロール３またはビニールシート引き出し用紐部材５を巻き取るリール４を設置したシャフト８を水平に維持する支承部材を、前記シャフト８の中央領域において前記パイプ部材１に取り付けられた構成を採るようにした。
【実施例】
【００１０】
図２に示した部材１２はビニールシート２を巻き取るロール３を受け止め水平状態に支承する断面が半円形状の樋部材（図のＡ参照）である。プラスチック又はブリキ等の金属板で形成する。部材１３は前記樋部材１２をパイプ部材１に取り付ける部材であって、ここに示した例は図のＢにあるとおり樋部材１２を下から支えるＵ字状の受け部とブラケット部、端部にはパイプ部材１を握り込むホルダー部１３ａと締め付けネジ１３ｂとから成るもの（図のＣ：部分拡大図参照）であるが、要は樋部材１２を水平に安定してパイプ部材１に取り付ける部材であればよく、適宜の形態が設計できる。この実施例をパイプ部材１に取り付けた形態を図３に示す。取り付け部材１３のホルダー部１３ａにパイプ部材１を挟持させ、締め付けネジ１３ｂを締めて固定する。複数のパイプ部材１に取り付け部材１３を取り付け、そのＵ字状の受け部で樋部材１２を水平に支承させるようにする。Ｕ字状の受け部と樋部材１２の結合は接着又は溶接等適宜の方法でよいが、樋部材１２の内面に突部が生じないようにする固着法が望ましい。ビニールシート２を巻き込み、引き出しする際に該突部がシート面を引っかくことがないためである。また、ロール３に巻かれたシート２の厚さ寸法は巻かれた状態によって変化するので、巻かれたビニールシート２の最下端部が常に樋部材内面に接触して保持される形態を採るためにはシャフト８の両端部を支承する軸受９が支柱７に対して上下方向のみに厚さ変動分だけ移動可能な形態で取り付けられることが望ましい。樋部材１２によるロール３の水平保持が実現され、シャフト８の軸を水平に維持できスムーズな巻き取りと引き出しがなされる。
【００１１】
次に、ビニールシート引き出し用紐部材５を巻き取るリール４を設置したシャフト８を水平に維持する支承部材の実施例を図４に示す。図のＡに示す例は板状体の両端部を直角に立ち上げコの字状とした支承部材１４で、該支承部材１４の両側の垂直部にシャフト８を貫通させる穴１４ａを穿設したものである。該支承部材１４の下面にはブラケット部が一体的に固着され、その反対側端部にはパイプ部材１を握り込むホルダー部１４ｂと締め付けネジ１４ｃが一体的に取り付けられている。この実施例をパイプ状構造体１に取り付けた形態を図５に示す。支承部材１４のホルダー部１４ｂにパイプ部材１を挟持させ、締め付けネジ１４ｃを締めて固定する。複数のパイプ状構造体１に支承部材１４を取り付け、貫通穴１４ａでシャフト８を受け水平に支承させるようにする。
図４のＢに示した支承部材１５は、パイプ部材１間の位置関係を安定強固にするハウスパイプ補強材を兼用したものである。図示されているように貫通穴１５ａを穿設した部材をほぼパイプ間隔で一体的に取り付けると共に、パイプ部材１の位置にあわせて穿設された穴１５ｂが配置されている。ハウスへの取付はこの穿設穴１５ｂに図中で示しているようにパイプ部材１（破線）に嵌め込んで溶接若しくは適宜の固定部材で水平に固着する。これによって、シャフト８は安定的に水平状態が維持されると共に、パイプ部材１の位置関係も安定して強固となる。
【００１２】
次に、ハウスシートの補強について好ましい形態を図６に示す。スムーズなビニールシートの開閉動作を実現する機構としては、シートの巻き取りまたは引き出しをおこなう巻き取りシャフトが負荷によって撓むことを防ぐだけでなく、ビニールシート２が使用する過程で部分的に伸びて歪まないようにすることも重要な問題となる。そこで、本発明ではパイプ部材１と接触し摺動する部分には強化テープ１６が貼り付けられ、該強化テープの端部はシートの端辺において引き出し用紐部材５が連結される引き出し竿６に取り付けられているローラ１７に締結された構成を採用した。強化テープ１６は引張り強度と摩擦強度を備えたものであれば、市販の粘着テープを利用することができる。この構成を採用したことにより、ビニールシート２は水平に保たれたロール３に巻き取られる際に、引張り方向に所定間隔に張られた強化テープで補強されているため、シート２が部分的伸びることは無く均一に力が作用することとなり、安定して巻き取りがなされる。また、引き出しに際しては水平に保たれたシャフト８に固定されたリール４によって均一条件で巻かれる引き出し用紐部材５の引き出し力はシート２の端部の引出し竿６に構造体１と同じ間隔で配設されたローラ１７を介して引出し竿６に作用し、ビニールシート２を全体的に引き上げる力となって作用し、安定した引き出しを行う。この際、引張り方向に所定間隔に張られた強化テープで補強されているため、シート２が部分的伸びることは無く均一に力が作用することとなり、安定して巻き取りがなされることは巻き取りの際と同様である。しかも、シート２の巻き取りまたは引き出しをおこなう際には、パイプ部材１の上を摺動することになるが、この接触部分には強化テープ１６が貼り付けられているため、シートの摩耗が防止できるという効果をも奏する。
【産業上の利用可能性】
【００１３】
本発明は、農業用のビニールハウスを想定して説明してきたが、本発明のシート巻き取り機構はそれに限らず、他のシート部材の巻き取り、引き出し機構、例えば先の特許文献１で紹介した家屋の雪下ろし装置にも応用できる。
【図面の簡単な説明】
【００１４】
【図１】本発明のシート部材の巻き取り、引き出し機構をビニールハウスに適用した例を示す図である。
【図２】ビニールシートを巻き取るロールを受け止め水平状態に支承する部材の例を示す図である。
【図３】ロールを水平状態に支承する部材をパイプ部材に取り付けた形態を示す図である。
【図４】ビニールシート引き出し用紐部材を巻き取るリールを設置したシャフトを水平に維持する支承部材を示す図である。
【図５】リールを水平状態に支承する部材をパイプ部材に取り付けた形態を示す図である。
【図６】ビニールシートが使用する過程で部分的に伸びて歪まないよう補強する形態を示す図である。
【符号の説明】
【００１５】
１  パイプ部材（構造体）                ２  ビニールシート
３  シート巻き取りロール                ４  引き出し用紐部材巻き取りリール
５  引き出し用紐部材                    ６  引き出し用竿
７  支柱                                ８  シャフト
９  軸受                              １０  ハンドル
１１  網部材                            １２  樋部材（ロール支承部材）
１３  樋取り付け部材                    １４  支承部材
１５  ハウスパイプ補強を兼ねた支承部材  １６  強化テープ
【図１】
2008306993.tif 000003
【図２】
2008306993.tif 000004
【図３】
2008306993.tif 000005
【図４】
2008306993.tif 000006
【図５】
2008306993.tif 000007
【図６】
2008306993.tif 000008